(57)【要約】【課題】商品押圧体から前方端までの陳列スペースを大きく採れる商品前出し具を提供すること。【解決手段】設置面Ｐに対して起立状の側板１と、側板１に支持され後端が商品押圧体に接続する引き出し桿２と、陳列商品を後方から前方へ押し出す商品押圧体３と、側板１から側方向に延出する後方支持体（後方板）と引き出し桿２間に接続される常時、商品押圧体３を後方へバネ付勢するコイルバネ４と、を有し、コイルバネ４は平面視でコイルバネ４の軸芯が斜め方向に延出した商品前出し具。【選択図】図１
0003202567.tif 000002
【実用新案登録請求の範囲】
【請求項１】
設置面に対して起立状の側板と、
該側板に支持され後端が商品押圧体に接続する引き出し桿と、
陳列商品を後方から前方へ押し出す商品押圧体と、
該側板又は該側板から側方向に延出する後方支持体と該引き出し桿又は該商品押圧体の間に接続される常時、該商品押圧体を後方へバネ付勢するコイルバネと、を有し、
該コイルバネは平面視でコイルバネの軸芯が斜め方向に延出したものであることを特徴とする商品前出し具。
【請求項２】
該コイルバネの該側板又は該後方支持体に接続される第１接続端は、該引き出し桿又は該商品押圧体に接続される第２接続端より後方に位置することを特徴とする請求項１記載の商品前出し具。
【請求項３】
該コイルバネの軸芯は、該第１接続端から側板面に対し直交方向に延びる仮想線を基準にして、１０度〜２０度の角度であることを特徴とする請求項１又は２記載の商品前出し具。
【請求項４】
該コイルバネは側面視が水平となるように張られていることを特徴とする請求項１〜３のいずれか１項に記載の商品前出し具。
【請求項５】
該コイルバネは側面視が傾斜状となるように張られていることを特徴とする請求項１〜３のいずれか１項に記載の商品前出し具。
【請求項６】
該コイルバネは、前後方向１０ｍｍ〜２０ｍｍの範囲内において収容されていることを特徴とする請求項１〜５のいずれか１項に記載の商品前出し具。
【請求項７】
該引き出し桿は、該コイルバネのバネ力に抗して手動で前方へ引き出されることを特徴とする請求項１〜６のいずれか１項に記載の商品前出し具。
【請求項８】
該引き出し桿は、該コイルバネのバネ力に抗して手動で前方へ引き出され、引き出し力を弱める又は該引き出し桿を離すことで、該コイルバネのバネ力により待機位置に戻ることを特徴とする請求項１〜７のいずれか１項に記載の商品前出し具。 
【考案の詳細な説明】
【技術分野】
【０００１】
本考案は、商品押圧体から前方端までの陳列スペースを大きく採れる商品前出し具に関するものである。
【背景技術】
【０００２】
スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法として、固定された商品陳列棚に商品前出し機能を有する商品前出し体を設置して、陳列商品を自動的に前に押し出すものも知られている（ＷＯ２００７−０２０７２５号公報）。
【０００４】
一方、設置面に対して起立状の側板と、該側板に前後方向移動自在に支持され後端が商品押圧体に接続する引き出し桿と、陳列商品を後方から前方へ押し出す商品押圧体と、該側板側又は後板側の第１固定位置と該商品押圧体側の第２固定位置間に接続される常時、該商品押圧体を後方へバネ付勢するコイルバネと、を有する商品前出し具が知られている。この商品前出し具は、引き出し桿を手で引き出すことで、商品押圧体の前方の商品を前出しし、手を離す又は引き出し力を弱めることで、商品押圧体を後方の待機位置に戻す。
【考案の概要】
【考案が解決しようとする課題】
【０００５】
しかしながら、従来の商品前出し具のコイルバネは、図１０及び図１１に示すように、バネ力を安定して発揮させるため、コイルバネの軸芯が前後方向に真っ直ぐに延びる姿勢で設置されている。このような商品前出し具で使用されるコイルバネは、待機状態においてもバネ力が作用するように設置すると、縮小状態（待機状態）において、３０ｍｍ前後の長さが必要となる。このため、従来の商品前出し具にこのようなコイルバネを使用すると、後方部において、前後方向のコイルバネ収容スペースが必要となり、これがデッドスペースとなり、商品の陳列長さ（陳列面積）を制限するという問題があった。
【０００６】
従って、本考案の目的は、商品押圧体から前方端までの陳列スペースを大きく採れる商品前出し具を提供することにある。
【０００７】
かかる実情において、本考案者は鋭意検討を行った結果、コイルバネを平面視において斜め設置にしても、コイルバネの付勢力にほとんど影響せず、コイルバネの前後方向の設置スペースを狭くできるため、商品押圧体から前方端までの陳列スペースを大きく採れることを見出し、本考案を完成するに至った。
【０００８】
すなわち、本考案は、設置面に対して起立状の側板と、該側板に支持され後端が商品押圧体に接続する引き出し桿と、陳列商品を後方から前方へ押し出す商品押圧体と、該側板又は該側板から側方向に延出する後方支持体と該引き出し桿又は該商品押圧体の間に接続される常時、該商品押圧体を後方へバネ付勢するコイルバネと、を有し、該コイルバネは平面視でコイルバネの軸芯が斜め方向に延出したものであることを特徴とする商品前出し具を提供するものである。
【０００９】
また、本考案は、該コイルバネの該側板又は該後方支持体に接続される第１接続端は、該引き出し桿又は該商品押圧体に接続される第２接続端より後方に位置することを特徴とする前記商品前出し具を提供するものである。
【００１０】
また、本考案は、該コイルバネの軸芯は、該第１接続端から側板面に対し直交方向に延びる仮想線を基準にして、１０度〜２０度の角度であることを特徴とする前記商品前出し具を提供するものである。
【００１１】
また、本考案は、該コイルバネは側面視が水平となるように張られていることを特徴とする前記商品前出し具を提供するものである。
【００１２】
また、本考案は、該コイルバネは側面視が傾斜状となるように張られていることを特徴とする前記商品前出し具を提供するものである。
【００１３】
また、本考案は、該コイルバネは、前後方向１０ｍｍ〜２０ｍｍの範囲内において収容されていることを特徴とする前記商品前出し具を提供するものである。
【００１４】
また、本考案は、該引き出し桿は、該コイルバネのバネ力に抗して手動で前方へ引き出されることを特徴とする前記商品前出し具を提供するものである。
【００１５】
また、本考案は、該引き出し桿は、該コイルバネのバネ力に抗して手動で前方へ引き出され、引き出し力を弱める又は該引き出し桿を離すことで、該コイルバネのバネ力により待機位置に戻ることを特徴とする前記商品前出し具を提供するものである。
【考案の効果】
【００１６】
本考案によれば、待機状態において、コイルバネのバネ力を維持したまま、後方のコイルバネ収容スペースを前後方向に狭くでき、商品押圧体から前方端までの陳列スペースを大きく採れる。
【図面の簡単な説明】
【００１７】
【図１】本考案の第１の実施の形態における商品押圧体の斜視図である。
【図２】図１の商品押圧体のコイルバネ周りの拡大平面図である。
【図３】図１の商品押圧体のコイルバネ周りの拡大側面図である。
【図４】図３のＸ-Ｘ線に沿って見た断面図である。
【図５】図１の商品押圧体のコイルバネの動きを説明する平面図である。
【図６】図１の商品押圧体のコイルバネの動きを説明する側面図である。
【図７】本考案の第２の実施の形態における商品押圧体のコイルバネ周りの拡大平面図である。
【図８】図７の商品押圧体の側面図である。
【図９】図１の商品押圧体の平面図である。
【図１０】従来の商品押圧体の平面図である。
【図１１】従来の商品押圧体の斜視図である。
【考案を実施するための形態】
【００１８】
次に、本考案の第１の実施の形態における商品押圧体を図１〜図６を参照して説明する。商品前出し具１０は、設置面Ｐに対して起立状の側板１と、側板１に前後方向移動自在に支持され後端が商品押圧体３に接続する引き出し桿２と、陳列商品を後方から前方へ押し出す商品押圧体３と、側板１から内側の側方向に延出する後方支持体６と引き出し桿２の間に接続される常時、商品押圧体３を後方へバネ付勢するコイルバネ４と、を有し、コイルバネ４は平面視でコイルバネ４の軸芯４５が斜め方向に延びたものである。また、後方支持体６に接続される第１接続端４１は、引き出し桿２の後端に接続される第２接続端４３より後方に位置する。また、後方支持体６は本例では後方板であり、第１接続端４１が接続する第１係止突起６１は後方板の側板１よりも遠い側端に位置する。これにより、斜めに設置されたコイルバネ４を軸芯方向に長く、且つ前後方向に短く設置できる。
【００１９】
商品前出し具１０は、棚板面等の設置面に置かれる所定幅寸法を有して後方に延びる水平板５と、水平板５の一方の側端から起立する側板１とからなるＬ字形状の固定側部材を有する。本考案において、水平板５は無くてもよく、その場合、側板１は、棚板面に形成された係止貫通穴に差し込みで設置され、陳列商品は棚板面に置かれる。また、Ｌ字形状の固定側部材は、一体物に限定されず、それぞれ別部材である水平板５と側板１が嵌合したものであってもよい。
【００２０】
側板１の上部内側で前後方向には、引き出し桿２の前後移動をガイドする所定高さ（溝幅）のガイド溝２３が形成されている。このガイド溝２３に引き出し桿２の桿本体部２１が嵌り、引き出し桿２の上下の移動が規制され、前後方向に移動自在となっている。ガイド溝２３は、本例に限定されず、例えば、側板面１２より所定高さを隔てた一対の鉤状の突起が前後方向に所定のピッチで複数形成され、上下の一対の鉤状の突起間が、溝幅となったものであってもよい。鉤状の突起とは、側板面より側方に僅かに延出し、次いで溝側に屈曲して延出するＬ字フック形状が挙げられる。  
【００２１】
側板１及び水平板５の後方端には、設置面から起立状の後方板である後方支持体６が形成されている。後方支持体６はコイルバネ４の一端（第１接続端）を固定する機能を奏する。後方支持体６は、本例のような後方板に限定されず、例えば、側板１の後方端から側方内側に概ね水平板部材６の幅寸法の長さ分、延びたものであってもよい。この場合、その先端に、コイルバネ４の一端が係止する係止突起が形成される。
【００２２】
第１接続端４１が接続する第１係止突起６１は、引き出し桿２の後端に接続される第２接続端４３が接続する第２係止突起３１に対し、側面視において同じ水平位置であり、平面視において後方に位置する。第１係止突起６１は、鉤状であり、これにコイルバネ４の先端リングである第１接続端４１が掛けられる。
【００２３】
引き出し桿２は、後端が商品押圧体３に接続されており、前端部には、貫通穴を形成することで摘み易くした把持部２４を形成している。引き出し桿２の本体部２１は薄板であり、側板１のガイド溝２３に嵌合している。引き出し桿２の把持部２４を手で摘んで前方へ引き出すことにより、商品押圧体３を前方へ移動させることができる。これにより、商品押圧体３より前方に位置する商品が前出しされる。本考案において、引き出し桿２は、側板１のガイド溝２３に前後方向移動自在に支持されるものに限定されず、種々の変形を採ることができる。例えば、引き出し桿２は、ガイド溝の無い側板であって、高さの低い側板１の上端部の全部又は一部に載置又は係止したものであってもよい。この場合、引き出し桿２と商品押圧体３の接続は、回動自在の接続であってもよい。これにより、引き出し桿２を引き出す際、引き出し角度が自在となり、前方への引き出しが容易となる。
【００２４】
商品押圧体３は、引き出し桿２を前方に引き出すことで連動して前出しされ、陳列商品を後方から前方へ押し出す機能を奏する。商品押圧体３の形状は、本例では上下側板及び左右側板で囲まれた枠体であるが、これに限定されず、板状や箱体であってもよい。商品押圧体３は側方で引き出し桿２の後端と接続している。また、本例では、商品押圧体３と引き出し桿２の接続部分に、コイルバネ４の第２接続端４３が接続する第２係止突起３１が形成されている。第２係止突起３１は、鉤状であり、これにコイルバネ４の先端リングである第２接続端４３が掛けられる。
【００２５】
コイルバネ５は、固定側部材と、引き出し桿２を接続するものである。コイルバネ５は、コイル巻きされた本体部４２と、両端のリング状である第１接続端４１と第２接続端４２を有する。そして、コイルバネ５の後方支持体６に接続される第１接続端４１は、引き出し桿２に接続される第２接続端４３より後方に位置する。すなわち、本例では、側板１から側方向に延出する後方支持体６の第１係止突起６１と引き出し桿２の後端の第２係止突起３１間に接続される。コイルバネ４は平面視でコイルバネ４の軸芯４５が斜め方向に延出したものである（図２参照）。コイルバネ４が側板面に直交する方向に横に延びるように張ると、待機姿勢において、バネ力が作用せず、商品押圧体３の待機位置が定まらない。  
【００２６】
図２に示すように、コイルバネ４の軸芯４５は、第１接続端４１から側板面に対し直交方向に延びる仮想線４６を基準にして、１０度〜２０度、好適には１２度〜１８度の角度（α）である。この角度（α）が大き過ぎると、商品押圧体３の前方の商品陳列スペースが制限される。この角度（α）が小さ過ぎると、待機位置において、バネ力が小さくなりすぎる。また、コイルバネ４は、前後方向１０ｍｍ〜２０ｍｍ、好適には１２ｍｍ〜１８ｍｍの範囲内において収容されている。また、コイルバネ４は側面視が水平となるように張られている（図３参照）。コイルバネ４の接続は、静止状態（待機状態）において、コイルバネ４のバネ力が作用するような張り方である。すなわち、張る前のコイルバネ４を少し引き伸ばした状態でコイルバネ４は張られる。これにより、常時、商品押圧体３を後方へ付勢することができ、商品押圧体３の前方商品の陳列面積を大とすることができる。
【００２７】
次に、商品前出し具１０の使用方法について説明する。商品前出し具１０において、図１及び図９に示すように、商品押圧体３の前方に陳列商品が載せられる。すなわち、陳列商品は水平板５の上に乗っている。図９及び図１０に示すように、従来の商品前出し具１００の場合、前方スペースは符号ｎで示す領域であるものの、本考案の商品前出し具１０によれば、前方スペースは符号ｍで示す領域であり、多くの商品を陳列できる。次いで、陳列された商品の内、前方の商品が売れていき、陳列棚の手前には商品が無くなった状態となる。作業者は引き出し桿２の把持部２４を手で摘んでバネ力に抗して前方へ引き出す。これにより、後方に位置する陳列商品が前方へ移動する。商品の前方移動が終了したら、作業者は引き出し力を弱めるか、又は引き出し桿２から手を離す。この際、引き出し桿２及び引き出し桿２に接続している商品押圧体３は、コイルバネ力により、自動的に後方に戻される。コイルバネ４は斜め設置ではあるものの、図５及び図６の最大引っ張り状態から図１及び図９の待機状態まで、引っ張り状態にあり、後方へのバネ力は発生している。特に、図１及び図９の待機状態においても、弱いながらもバネ力は生じており、商品押圧体３の待機状態位置は一定となる。これにより、横並びに多数の商品前出し具を設置した際、横並びの陳列商品は整然と陳列できる。必要なら、作業者は新たな陳列商品を商品押圧体３の前方のスペースに補充する。
【００２８】
次に、本考案の第２の実施の形態における商品押圧体を図７及び図８を参照して説明する。第２の実施の形態における商品前出し具１０Ａにおいて、図１〜図６の第１の実施の形態における商品前出し具１０と同一構成要素には同一符号を付して、その説明を省略し、異なる点について、主に説明する。すなわち、商品前出し具１０Ａにおいて、商品前出し具１０と異なる点は、商品押圧体の形状及びコイルバネの張り方である。商品前出し具１０Ａの商品押圧体３Ａは、側板１から内側側方へ略水平板の幅寸法と同じ程度に延びている。また、第１係止突起６１Ａは、側板１の後端部の下部に形成され、第２係止突起３１Ａは、商品押圧体３Ａの側板１から遠い側の側板（左側板）の内側に形成されている。そして、コイルバネ４Ａの第１接続端４１は第１係止突起６１Ａに係止し、コイルバネ４Ａの第２接続端４３は第２係止突起３１Ａに係止している。コイルバネ４Ａは平面視及び側面視でコイルバネ４の軸芯４５が斜め方向に延出したものである。商品前出し具１０Ａにおいて、後方支持体６は省略されている。すなわち、商品前出し具１０Ａにおいて、コイルバネ４Ａは、一端が固定側の側板１に接続され、他端が商品押圧体３Ａに接続されている。商品前出し具１０Ａによれば、引き出し桿２とコイルバネ４Ａが直接、接続されていないため、引き出し桿２の操作性において、商品前出し具１０に劣るものの、商品前出し具１０Ａと同様の作用効果を奏する。
【００２９】
本考案の商品押圧体は、上記実施の形態例に限定されず、種々の変形例を採ることができる。第１の実施の形態における商品前出し具１０において、コイルバネ４は、図３のような側面視でコイル軸芯が水平姿勢のものに限定されず、側面視でコイル軸芯が傾斜状に延びるものであってもよい。すなわち、第１係止突起６１が、後方板である後方支持体６の側板１より遠い側の側部（左端部）の下部であってもよい。このような商品前出し具であっても、第１の実施の形態における商品前出し具１０と同様の効果を奏する。
【００３０】
また、第２の実施の形態における商品前出し具１０Ａにおいて、コイルバネ４Ａは、図７及び図８のような側面視でコイル軸芯が傾斜状に延びるものに限定されず、側面視でコイル軸芯が水平に延びるものであってもよい。すなわち、第１係止突起６１が、側板の後方の上部であってもよい。このような商品前出し具であっても、第２の実施の形態における商品前出し具１０Ａと同様の効果を奏する。
【産業上の利用可能性】
【００３１】
本考案によれば、待機状態において、コイルバネのバネ力を維持したまま、後方のコイルバネ収容スペースを前後方向に狭くでき、商品押圧体から前方端までの陳列スペースを大きく採れるため、陳列効率が向上する。
【符号の説明】
【００３２】
１    側板
２    引き出し桿
３、３Ａ    商品押圧体
４、４Ａ    コイルバネ
５    水平板
６    後方支持体（後方板）
１０    商品前出し具
２１    桿本体部
２３    ガイド溝
４１、４１Ａ    第１接続端
４３、４３Ａ    第２接続端
６１、６１Ａ    第１係止突起
６２、６２Ａ    第２係止突起
Ｐ    設置面 
【図１】
0003202567.tif 000003
【図２】
0003202567.tif 000004
【図３】
0003202567.tif 000005
【図４】
0003202567.tif 000006
【図５】
0003202567.tif 000007
【図６】
0003202567.tif 000008
【図７】
0003202567.tif 000009
【図８】
0003202567.tif 000010
【図９】
0003202567.tif 000011
【図１０】
0003202567.tif 000012
【図１１】
0003202567.tif 000013